(57)【要約】【課題】シューズの走行安定性を確保すると共に、軟質弾性部材から構成されるミッドソールのへたりを防止し、極めて軽量で良好なクッション性を有した運動靴を提供するものである。【解決手段】靴底踵部の下面の左右両側に横方向の凹溝４ａ、４ａを適宜数形成したミッドソール４に、該横方向の凹溝４ａ、４ａに嵌合し、かつ靴底側面に開口する筒状緩衝体５ａ、５ａを具備した樹脂プレート５を設けると共に、その樹脂プレート５の下面にアウトソール６を接合して運動靴を形成する。前記樹脂プレート５はその先端を靴底不踏部前方まで延長して形成する。【選択図】図１
2005287565.tif 000002
【特許請求の範囲】
【請求項１】
胛被及び靴底を有する運動靴において、該靴底が踵部下面両側に横方向の凹溝を適宜数形成したミッドソールに、該横方向の凹溝に嵌合し、かつ靴底側面に開口する筒状緩衝体を備えた樹脂プレートを配設すると共に、その樹脂プレートの下面にアウトソールを接合して形成されていることを特徴とする運動靴。
【請求項２】
前記樹脂プレートはその先端を靴底不踏部前方まで延長した形状からなることを特徴とする請求項１記載の運動靴。
【発明の詳細な説明】
【技術分野】
【０００１】
本発明は、ジョギング、トレーニング等に好適な運動靴に関し、さらには軟質弾性体のミッドソールとアウトソールとの間に筒状緩衝体を備えた樹脂プレートを介在し形成した靴底を有する運動靴に関するものである。
【背景技術】
【０００２】
従来の運動靴は、靴底において、ミッドソールと、その下面に積層形成したアウトソールとを備えたものが一般に使用されている。そして、ミッドソールはクッション性を確保するため、一般に軟質性弾性体で構成されている。そのため、靴底の踵部分は着地時の衝撃力により疲労し、長期間中にへたりやすくなって、クッション性が低下するようになる傾向がある。
【０００３】
さらに、運動靴はクッション性のほかに走行安定性が要求される。即ち、着地時に運動靴が左右方向に過度に変形して、いわゆる横ずれを起こすのを防止する必要がある。
【０００４】
そこで、スポーツ用シューズのミッドソール構造において、軟質弾性部材から構成されるミッドソール内の踵部分に波形シートを介在させ、ミッドソールが波形シートと接触する箇所に複数の貫通孔を形成した構造のものが特開平１１−３４６８０３で提案されている。この提案は波形シートの波形状部分によってミッドソールの踵部位が左右方向に横ずれ変形するのを防止でき、シューズの走行安定性が確保されるようになっている。しかしながら、このようにミッドソール内に波形シートを挿入することによって、波形シートがアウトソールに直接支持されていないため、ミッドソールの踵部位が左右方向及び上下方向にも変形して不安定になる傾向にある。このため、ミッドソールの踵部位において、走行安定性が要求される部位であっても、着地時の安定性が低下してしまい満足できるものではなかった。
【特許文献１】特開平１１−３４６８０３号公報
【発明の開示】
【発明が解決しようとする課題】
【０００５】
解決しようとする問題点は、従来品の欠点を解消し、シューズの走行安定性を確保すると共に、軟質弾性部材から構成されるミッドソールのへたりを防止し、極めて軽量で良好なクッション性の靴底を備えた運動靴を提供するものである。
【課題を解決するための手段】
【０００６】
本発明は、胛被及び靴底を有する運動靴において、該靴底が踵部下面両側に横方向の凹溝を適宜数形成したミッドソールに、該横方向の凹溝に嵌合し、かつ靴底側面に開口する筒状緩衝体を備えた樹脂プレートを設けると共に、その樹脂プレートの下面にアウトソールを接合して形成されていることを特徴とする運動靴を要旨とする。また前記樹脂プレートはその先端を靴底不踏部前方まで延長した形状からなることを特徴とすることを要旨とする。
【発明の効果】
【０００７】
本発明の運動靴の靴底は、ミッドソールの踵部下面側に横方向の凹溝を適宜数形成し、該横方向の凹溝に埋設される筒状緩衝体を備えた樹脂シートを配設する共に、樹脂プレートに下面にアウトソールを接合して該筒状緩衝体がミッドソールの中に埋設された構造であるので、筒状緩衝体を備えた樹脂シートによりに左右方向のずれ変形を防止できると共に、運動靴の走行安定性を確保できる。また、本発明の運動靴は筒状緩衝体に横方向の貫通孔が形成されているので、軽量であると共に走行時に踵部にかかる衝撃力を緩和して、クッション性を向上させることができる。しかもミッドソールに嵌合された筒状緩衝体はアウトソールに直接接合した構造であるため、踵にかかる衝撃力と反発力をアウトソールにより直に支持できるので、良好なクッション性を永く保持することができ、さらにミッドソールのへたりが防止されるという利点がある。そして、前記樹脂プレートはその先端を靴底不踏部前方まで延長した形状からなることから、一層走行安定性が確保できる。
【発明を実施するための最良の形態】
【０００８】
運動靴の走行安定性を確保するという目的を、ミッドソールとアウトソールとの間に筒状緩衝体を設けた樹脂シートを介在させることで実現した。
【実施例１】
【０００９】
図１は、本発明の運動靴の側面図、図２は図１の運動靴を底面からみた底面図である。図３は図１の運動靴をＡ−Ａ切断した状態の断面図である。図中の１は運動靴、２は胛被、３は靴底、４はミッドソール、５は筒状緩衝部５ａを備えた樹脂プレート、６はアウトソールである。
【００１０】
本発明の実施例の運動靴１は、胛被２と、その底面に備えた靴底３とから構成される。また靴底３はミッドソール４と、筒状緩衝体５ａ、５ａを備えた樹脂シート５と、アウトソール６とから構成される。ミッドソール４は、踵部にかかる衝撃力を緩和する目的で用いられる。そして、ミッドソール４は踵部下面の両側に横方向に２列の凹溝４ａ、４ａが間隔をおいて形成される。樹脂プレート５は、樹脂プレート本体の上面に前記横方向の凹溝４ａ、４ａに嵌合する筒状緩衝体５ａ、５ａが設けられ、ミッドソール４の下面に接着剤で接合される。さらに、前記樹脂プレート５の底面には、アウトソール６が接着剤で張り合わされて運動靴が完成される。
【００１１】
ミッドソール４を形成する材料は、クッション性を備えた軟質弾性材が用いられ、具体的にはエチレン-酢酸ビニルの発泡体、ポリウレタン発泡体などが用いられる。
【００１２】
樹脂プレート５は、ポリ塩化ビニル、ＡＢＳ樹脂等の熱可塑性樹脂が用いられ、樹脂プレート本体と筒状緩衝体５ａ、５ａとを射出成形で一体成形されてもよいし、構成する部品を別々に作成しそれら部品を組み立て接合して成形してもよい。筒状緩衝体５ａはその断面形状をミッドソールの凹溝４ａ、４ａと同一形状とすればよく、四角形、台形、半円形状のいずれでもよい。本発明の実施例の筒状緩衝体５ａは、その断面を四角形にした形状からなる。これによって、ミッドソール４は踵部における衝撃力を左右両側で筒状緩衝体５ａ、５ａより支持すると共に、厚く形成される中央部で和らげられる。さらに、樹脂プレート５は、その先端を靴底不踏部前方まで延長してシャンク５ｂを一体成形し、シャンク機能を持たせてもよい。
【００１３】
アウトソール６は、強靭な弾性材が用いられ、具体的には天然ゴム、合成ゴムなどで成形される。
【００１４】
実施例の運動靴１は、ミッドソール４の踵部下面の左右両側に樹脂プレート５の筒状緩衝体５ａ、５ａが埋設されて設けられているので、踵部にかかる衝撃力を和らげると共に、筒状緩衝体５ａ、５ａを備えた樹脂プレート５によりに支持されるので、運動靴の走行安定性を確保できると共に、軽量で、かつミッドソールのへたりが防止される。しかもミッドソールは踵部の中央部が左右両側より厚く形成されているので、クッション性が良好である。
【００１５】
本発明の運動靴１は樹脂プレート５の先端を靴底不踏部前方まで延長し一体成形したシャンク５ｂを用いているので、シャンク機能を有し、一層走行安定性が確保できる。
【図面の簡単な説明】
【００１６】
【図１】本発明の実施例の運動靴を側面から見た側面図である。
【図２】図1の運動靴を底面からみた底面図である。
【図３】図1の運動靴をＡ−Ａ切断した状態の断面図である。
【符号の説明】
【００１７】
１    運動靴
２    胛被
３    靴底
４    ミッドソール
４ａ  凹溝
５    樹脂プレート
５ａ  筒状緩衝体
５ｂ  シャンク
６    アウトソール
【図１】
2005287565.tif 000003
【図２】
2005287565.tif 000004
【図３】
2005287565.tif 000005